【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
聴覚装置であって、
前記聴覚装置のユーザの聴力損失を補うように構成されている処理部と、
メモリ部と、
インターフェースと、を備え、
前記聴覚装置は、前記メモリ部に格納されている前記聴覚装置のセキュリティ設定に従って作動するように構成されており、
前記処理部は、
前記インターフェースを経由して、聴覚装置鍵を示す新しい第１の聴覚装置鍵識別子を含む新しいセキュリティ設定を取得し、
前記新しいセキュリティ設定を検証し、
前記新しいセキュリティ設定が承認される場合、前記新しいセキュリティ設定に基づいて、前記聴覚装置の前記セキュリティ設定をアップデートするように構成されており、
前記聴覚装置の前記セキュリティ設定は、聴覚装置証明書を含む一次セキュリティ設定を備え、前記聴覚装置は、前記聴覚装置の前記一次セキュリティ設定に基づいて、前記新しいセキュリティ設定を検証するように構成されている聴覚装置。
【請求項２】
前記新しいセキュリティ設定は、デジタル署名を備え、前記新しいセキュリティ設定の検証は、前記新しいセキュリティ設定の前記デジタル署名を検証することを備える、請求項１に記載の聴覚装置。
【請求項３】
前記新しいセキュリティ設定の検証は、前記新しい第１の聴覚装置鍵識別子を認証することを備え、前記新しい第１の聴覚装置鍵識別子が有効である場合、前記新しいセキュリティ設定が承認される、請求項１又は２に記載の聴覚装置。
【請求項４】
前記一次セキュリティ設定は、第１の聴覚装置鍵識別子を備え、前記新しいセキュリティ設定の検証は、前記一次セキュリティ設定の前記第１の聴覚装置鍵識別子に基づいて、前記新しい第１の聴覚装置鍵識別子が有効か否かを決定することを備える、請求項１〜３のいずれか一項に記載の聴覚装置。
【請求項５】
前記聴覚装置の前記セキュリティ設定は、二次セキュリティ設定を備え、前記聴覚装置は、前記聴覚装置の前記二次セキュリティ設定に基づいて、前記新しいセキュリティ設定を検証するように構成されている、請求項１〜４のいずれか一項に記載の聴覚装置。
【請求項６】
前記新しいセキュリティ設定は、セキュリティアップデート識別子を備え、前記新しいセキュリティ設定の検証は、前記二次セキュリティ設定に基づいて、前記セキュリティアップデート識別子が有効か否かを決定することを備える、請求項５に記載の聴覚装置。
【請求項７】
前記聴覚装置の前記セキュリティ設定のアップデートは、前記新しい第１の聴覚装置鍵識別子を、前記二次セキュリティ設定に組み込むことを備える、請求項５又は６に記載の聴覚装置。
【請求項８】
前記新しいセキュリティ設定は、１つ又は複数のクライアントデバイスタイプ失効識別子、及び／又は１つ若しくは複数のクライアントデバイス失効識別子、及び／又は１つ若しくは複数の署名装置失効識別子を備える、請求項１〜７のいずれか一項に記載の聴覚装置。
【請求項９】
前記聴覚装置の前記セキュリティ設定のアップデートは、前記聴覚装置の二次セキュリティ設定の１つ又は複数のクライアントデバイスタイプ失効識別子、及び／又は１つ又は複数のクライアントデバイス失効識別子、及び／又は１つ又は複数の署名装置失効識別子をアップデートすることを備える、請求項８に記載の聴覚装置。
【請求項１０】
聴覚装置のユーザの聴力損失を補償するように構成されている処理部と、メモリ部と、インターフェースと、を備える前記聴覚装置を更新する方法であって、前記聴覚装置は、前記聴覚装置のセキュリティ設定に従って作動するように構成されており、
前記方法は、
前記インターフェースを経由して、聴覚装置鍵を示す新しい第１の聴覚装置鍵識別子を備える新しいセキュリティ設定を取得する工程と、
前記新しいセキュリティ設定を検証する工程と、
前記新しいセキュリティ設定が承認される場合、前記新しいセキュリティ設定に基づいて、前記聴覚装置の前記セキュリティ設定をアップデートする工程と、を備え、
前記聴覚装置の前記セキュリティ設定は、聴覚装置証明書を含む一次セキュリティ設定を備え、前記新しいセキュリティ設定を検証する工程は、前記聴覚装置の前記一次セキュリティ設定に基づく方法。
【請求項１１】
前記新しいセキュリティ設定は、デジタル署名を備え、前記新しいセキュリティ設定を検証する工程は、前記新しいセキュリティ設定の前記デジタル署名を検証する工程を備える、請求項１０に記載の方法。
【請求項１２】
前記新しいセキュリティ設定を検証する工程は、前記新しい第１の聴覚装置鍵識別子を認証する工程を備え、前記新しい第１の聴覚装置鍵識別子が有効である場合、前記新しいセキュリティ設定が承認される、請求項１０又は１１に記載の方法。
【請求項１３】
前記一次セキュリティ設定は、第１の聴覚装置鍵識別子を備え、前記新しいセキュリティ設定を検証する工程は、前記一次セキュリティ設定の前記第１の聴覚装置鍵識別子に基づいて、前記新しい第１の聴覚装置鍵識別子が有効か否かを決定する工程を備える、請求項１０〜１２のいずれか一項に記載の方法。
【手続補正２】
【補正対象書類名】明細書
【補正対象項目名】００９３
【補正方法】変更
【補正の内容】
【００９３】
特定の特徴が表示及び記載されているが、それらは、特許請求されている発明を限定するためのものではないことが理解されるだろう。また、当業者であれば、特許請求されている発明の趣旨及び範囲から逸脱せずに、種々の変更及び改変をなすことができることが明白になるだろう。したがって、本明細書及び図面は、限定的な意味ではではなく例示的な意味で受け取られるべきである。特許請求されている発明は、代替物、改変物、及び均等物を全て包含することが意図されている。
本明細書に記載の技術の特徴を列挙する。
（特徴１）
聴覚装置であって、
前記聴覚装置のユーザの聴力損失を補うように構成されている処理部と、
メモリ部と、
インターフェースと、を備え、
前記聴覚装置は、前記メモリ部に格納されている前記聴覚装置のセキュリティ設定に従って作動するように構成されており、
前記処理部は、
前記インターフェースを経由して、聴覚装置鍵を示す新しい第１の聴覚装置鍵識別子を含む新しいセキュリティ設定を取得し、
前記新しいセキュリティ設定を検証し、
前記新しいセキュリティ設定が承認される場合、前記新しいセキュリティ設定に基づいて、前記聴覚装置の前記セキュリティ設定をアップデートするように構成されている聴覚装置。
（特徴２）
前記新しいセキュリティ設定は、デジタル署名を備え、前記新しいセキュリティ設定の検証は、前記新しいセキュリティ設定の前記デジタル署名を検証することを備える、特徴１に記載の聴覚装置。
（特徴３）
前記新しいセキュリティ設定の検証は、前記新しい第１の聴覚装置鍵識別子を認証することを備え、前記新しい第１の聴覚装置鍵識別子が有効である場合、前記新しいセキュリティ設定が承認される、特徴１又は２に記載の聴覚装置。
（特徴４）
前記聴覚装置の前記セキュリティ設定は、聴覚装置証明書を含む一次セキュリティ設定を備え、前記聴覚装置は、前記聴覚装置の前記一次セキュリティ設定に基づいて、前記新しいセキュリティ設定を検証するように構成されている、特徴１〜３のいずれか一項に記載の聴覚装置。
（特徴５）
前記一次セキュリティ設定は、第１の聴覚装置鍵識別子を備え、前記新しいセキュリティ設定の検証は、前記一次セキュリティ設定の前記第１の聴覚装置鍵識別子に基づいて、前記新しい第１の聴覚装置鍵識別子が有効か否かを決定することを備える、特徴４に記載の聴覚装置。
（特徴６）
前記聴覚装置の前記セキュリティ設定は、二次セキュリティ設定を備え、前記聴覚装置は、前記聴覚装置の前記二次セキュリティ設定に基づいて、前記新しいセキュリティ設定を検証するように構成されている、特徴１〜５のいずれか一項に記載の聴覚装置。
（特徴７）
前記新しいセキュリティ設定は、セキュリティアップデート識別子を備え、前記新しいセキュリティ設定の検証は、前記二次セキュリティ設定に基づいて、前記セキュリティアップデート識別子が有効か否かを決定することを備える、特徴６に記載の聴覚装置。
（特徴８）
前記聴覚装置の前記セキュリティ設定のアップデートは、前記新しい第１の聴覚装置鍵識別子を、前記二次セキュリティ設定に組み込むことを備える、特徴６又は７に記載の聴覚装置。
（特徴９）
前記新しいセキュリティ設定は、１つ又は複数のクライアントデバイスタイプ失効識別子、及び／又は１つ若しくは複数のクライアントデバイス失効識別子、及び／又は１つ若しくは複数の署名装置失効識別子を備える、特徴１〜８のいずれか一項に記載の聴覚装置。
（特徴１０）
前記聴覚装置の前記セキュリティ設定のアップデートは、前記聴覚装置の二次セキュリティ設定の１つ又は複数のクライアントデバイスタイプ失効識別子、及び／又は１つ又は複数のクライアントデバイス失効識別子、及び／又は１つ又は複数の署名装置失効識別子をアップデートすることを備える、特徴９に記載の聴覚装置。
（特徴１１）
聴覚装置のユーザの聴力損失を補償するように構成されている処理部と、メモリ部と、インターフェースと、を備える前記聴覚装置を更新する方法であって、前記聴覚装置は、前記聴覚装置のセキュリティ設定に従って作動するように構成されており、
前記方法は、
前記インターフェースを経由して、聴覚装置鍵を示す新しい第１の聴覚装置鍵識別子を備える新しいセキュリティ設定を取得する工程と、
前記新しいセキュリティ設定を検証する工程と、
前記新しいセキュリティ設定が承認される場合、前記新しいセキュリティ設定に基づいて、前記聴覚装置の前記セキュリティ設定をアップデートする工程と、を備える方法。
（特徴１２）
前記新しいセキュリティ設定は、デジタル署名を備え、前記新しいセキュリティ設定を検証する工程は、前記新しいセキュリティ設定の前記デジタル署名を検証する工程を備える、特徴１１に記載の方法。
（特徴１３）
前記新しいセキュリティ設定を検証する工程は、前記新しい第１の聴覚装置鍵識別子を認証する工程を備え、前記新しい第１の聴覚装置鍵識別子が有効である場合、前記新しいセキュリティ設定が承認される、特徴１１又は１２に記載の方法。
（特徴１４）
前記聴覚装置の前記セキュリティ設定は、聴覚装置証明書を含む一次セキュリティ設定を備え、前記新しいセキュリティ設定を検証する工程は、前記聴覚装置の前記一次セキュリティ設定に基づく、特徴１１〜１３のいずれか一項に記載の方法。
（特徴１５）
前記一次セキュリティ設定は、第１の聴覚装置鍵識別子を備え、前記新しいセキュリティ設定を検証する工程は、前記一次セキュリティ設定の前記第１の聴覚装置鍵識別子に基づいて、前記新しい第１の聴覚装置鍵識別子が有効か否かを決定する工程を備える、特徴１４に記載の方法。